(57)【特許請求の範囲】
【請求項１】
長方形状のシートの短辺と平行に第１折り部と第２折り部を設け、前記第１折り部と前記第２折り部との間隔は、前記第２折り部からこの折り部側の短辺までの間隔とほぼ等しく設定し、前記第１折り部からこの折り部側の短辺までの間隔は、前記第１折り部と前記第２折り部との間隔のほぼ半分に設定し、前記シートの一面側には、前記第２折り部側の短辺に沿った部分とこの短辺から前記第１折り部に至る一対の長辺にそれぞれ沿った部分とに強接着部を設けるとともに、前記第１折り部からこの折り部側の短辺に至る一対の長辺にそれぞれ沿った部分に剥離部を設け、前記シートの他面側には、前記第１折り部に沿った前記第２折り部とは反対側の部分と前記第１折り部からこの折り部側の短辺に至る一対の長辺にそれぞれ沿った部分とに剥離部を設け、前記各剥離部に対応して複数の透孔を設けたことを特徴とする折り畳み封書用シート。
【請求項２】
長方形状のシートの短辺と平行に第１折り部と第２折り部を設け、前記第１折り部と前記第２折り部との間隔は、前記第２折り部からこの折り部側の短辺までの間隔とほぼ等しく設定し、前記第１折り部からこの折り部側の短辺までの間隔は、前記第１折り部と前記第２折り部との間隔のほぼ半分に設定し、前記シートの一面側には、前記第２折り部側の短辺に沿った部分に弱接着部を設け、この短辺から前記第１折り部に至る一対の長辺にそれぞれ沿った部分に強接着部を設け、前記第１折り部からこの折り部側の短辺に至る一対の長辺にそれぞれ沿った部分に剥離部を設け、前記シートの他面側には、前記第１折り部からこの折り部側の短辺に至る一対の長辺にそれぞれ沿った部分に剥離部を設け、前記各剥離部に対応して複数の透孔を設けたことを特徴とする折り畳み封書用シート。
【請求項３】
前記請求項１又は前記請求項２に記載の折り畳み封書用シートを、一対の長辺の一部に沿って強接着部を設けた面を内側にして、前記第１折り部でこの折り部から短辺側を前記内面側に折り重ねて各長辺に沿った強接着部と剥離部とを剥離可能に接着する一方、この折り重ねの前後に内面側の前記第１折り部と前記第２折り部との間に書簡などの収容物を載置し、前記第２折り部でこの折り部から短辺側を前記内面側に折り重ねて、重ね合わせた第２折り部側を除く３周縁を、第２折り部から第１折り部側の短辺に至る部分は剥離困難に、その他の部分は剥離可能に接着したことを特徴とする折り畳み封書。
【発明の詳細な説明】
【０００１】
【産業上の利用分野】
本発明は、折り畳んで内部に書簡や、印刷物などの収容物を収容した封書とする折り畳み封書用シート及びこのシートを用いた封書に関する。
【０００２】
【従来の技術】
従来の折り畳み封書用シートを用いた封書は、三辺に沿って設けた開封用ミシン目を破断してこの三辺を切り取ったり、一辺に平行に設けた二条の開封用ミシン目を破断して帯状に切り取って、開封するよう構成している。
【０００３】
【発明が解決しようとする課題】
このため、従来にあっては、開封に際して切り取った部分が廃棄物となるので、その廃棄処理が煩雑であるという不都合があった。本発明は、この不都合を解消することを目的とする。
【０００４】
【課題を解決するための手段】
この目的を達成するために本発明の折り畳み封書用シート１は、長方形状のシート１の短辺１ａ，１ｂと平行に第１折り部Ｐと第２折り部Ｑを設け、前記第１折り部Ｐと前記第２折り部Ｑとの間隔は、前記第２折り部Ｑからこの折り部Ｑ側の短辺１ａまでの間隔とほぼ等しく設定し、前記第１折り部Ｐからこの折り部Ｐ側の短辺１ｂまでの間隔は、前記第１折り部Ｐと前記第２折り部Ｑとの間隔のほぼ半分に設定し、前記シート１の一面側には、前記第２折り部Ｑ側の短辺１ａに沿った部分とこの短辺１ａから前記第１折り部Ｐに至る一対の長辺１ｃ，１ｄにそれぞれ沿った部分に、コ字状に伸びる強接着部２を設けるとともに、前記第１折り部Ｐからこの折り部Ｐ側の短辺１ｂに至る一対の長辺１ｃ，１ｄにそれぞれ沿った部分に剥離部３ａ，３ｂを設け、前記シート１の他面側には、前記第１折り部Ｐに沿った前記第２折り部Ｑとは反対側の部分と前記第１折り部Ｐからこの折り部Ｐ側の短辺１ｂに至る一対の長辺１ｃ，１ｄにそれぞれ沿った部分に、コ字状に伸びる剥離部３ｃを設け、前記各剥離部３ａ，３ｂ，３ｃに対応して複数の透孔４を設けたものである。なお、前記他面側における前記各折り部Ｐ，Ｑに挟まれた部分、あるいは、前記第２折り部Ｑと前記短辺１ａに挟まれた部分、のいずれか一方が宛名表示面となる。
【０００５】
また、別の好適な構成として、長方形状のシート１１の短辺１１ａ，１１ｂと平行に第１折り部Ｒと第２折り部Ｓを設け、前記第１折り部Ｒと前記第２折り部Ｓとの間隔は、前記第２折り部Ｓからこの折り部Ｓ側の短辺１１ａまでの間隔とほぼ等しく設定し、前記第１折り部Ｒからこの折り部Ｒ側の短辺１１ｂまでの間隔は、前記第１折り部Ｒと前記第２折り部Ｓとの間隔のほぼ半分に設定し、前記シート１１の一面側には、前記第２折り部Ｓ側の短辺１１ａに沿った部分に弱接着部１５を設け、この短辺１１ａから前記第１折り部Ｒに至る一対の長辺１１ｃ，１１ｄにそれぞれ沿った部分に強接着部１２ａ，１２ｂを設け、前記第１折り部Ｒからこの折り部Ｒ側の短辺１１ｂに至る一対の長辺１１ｃ，１１ｄにそれぞれ沿った部分に剥離部１３ａ，１３ｂを設け、前記シート１１の他面側には、前記第１折り部Ｒからこの折り部Ｒ側の短辺１１ｂに至る一対の長辺１１ｃ，１１ｄにそれぞれ沿った部分に剥離部１３ｃ，１３ｄを設け、前記各剥離部１３ａ，１３ｂ，１３ｃ，１３ｄに対応して複数の透孔１４を設けたものである。なお、この構成においては、前記他面側における前記各折り部Ｒ，Ｓに挟まれた部分、あるいは、前記第２折り部Ｓと前記短辺１１ａに挟まれた部分、のいずれか一方を宛名表示面にするとよい。
【０００６】
上記構成の折り畳み封書用シート１，１１から作成する封書６，１６は、一対の長辺１ｃ，１ｄ，１１ｃ，１１ｄの一部に沿って強接着部２，１２ａ，１２ｂを設けた面を内側にして、第１折り部Ｐ，Ｒでこの折り部Ｐ，Ｒから短辺１ｂ，１１ｂ側を前記内面側に折り重ねて各長辺１ｃ，１ｄ，１１ｃ，１１ｄに沿った強接着部２，１２ａ，１２ｂと剥離部３ａ，３ｂ，１３ａ，１３ｂとを剥離可能に接着する一方、この折り重ねの前後に内面側の前記第１折り部Ｐ，Ｒと前記第２折り部Ｑ，Ｓとの間に書簡Ｌなどの収容物を載置し、前記第２折り部Ｑ，Ｓでこの折り部Ｑ，Ｓから短辺１ａ，１１ａ側を前記内面側に折り重ねて、重ね合わせた第２折り部Ｑ，Ｓ側を除く３周縁を、第２折り部Ｑ，Ｓから第１折り部Ｐ，Ｒ側の短辺１ｂ，１１ｂに至る部分は剥離困難に、その他の部分は剥離可能に接着したものである。
【０００７】
【発明の実施の形態】
以下、本発明の好適な実施形態を添付図面に基づいて詳細に説明する。ここにおいて、図１〜図６は本発明の第１実施形態を示すもので、図１はシートの内面側を示す概略的な平面図、図２はシートの外面側を示す概略的な平面図、図３は第１折り部で折り重ねた状態を示す概略的な平面図、図４はさらに第２折り部で折り重ねて封書とした状態の概略的な平面図、図５は開封の第１段階を示す斜視図、図６は開封の第２段階を示す斜視図である。また、図７〜図１０は本発明の第２実施形態を示すもので、図７はシートの内面側を示す概略的な平面図、図８はシートの外面側を示す概略的な平面図、図９は第１折り部で折り重ねた状態を示す概略的な平面図、図１０はさらに第２折り部で折り重ねて封書とした状態の概略的な平面図である。
【０００８】
はじめに、図１〜図６に基づいて第１の実施形態を説明する。図１及び図２に示すように、折り畳み封書用シート１は、長方形状で、短辺１ａ，１ｂと平行に第１折り部Ｐと第２折り部Ｑを設けている。これら折り部Ｐ，Ｑはあらかじめ決定された折り予定部であって、ミシン目や指示線などで明示されていないので、仮想線で図示している。前記第１折り部Ｐと前記第２折り部Ｑとの間隔は、前記第２折り部Ｑからこの折り部Ｑ側の短辺１ａまでの間隔とほぼ等しく設定する一方、前記第１折り部Ｐからこの折り部Ｐ側の短辺１ｂまでの間隔は、前記各間隔のほぼ半分に設定している。
【０００９】
図１に示す、折り畳み封書用シート１を折り畳む際の内面側には、第２折り部Ｑ側の短辺１ａに沿った部分とこの短辺１ａから第１折り部Ｐに至る一対の長辺１ｃ，１ｄにそれぞれ沿った部分とに、剥離困難な接着剤を帯状に塗布してなるコ字状に伸びる強接着部２を設けている。また、前記第１折り部Ｐから短辺１ｂに至る一対の長辺１ｃ，１ｄにそれぞれ沿った部分に、剥離剤を帯状に塗布してなる剥離部３ａ，３ｂを設けている。
【００１０】
一方、図２に示す、折り畳み封書用シート１を折り畳む際の外面側には、第１折り部Ｐに沿った前記第２折り部Ｑとは反対側の部分、換言すると、第１折り部Ｐに沿った短辺１ｂ側の部分と、前記第１折り部Ｐから短辺１ｂに至る一対の長辺１ｃ，１ｄにそれぞれ沿った部分とに、剥離剤を帯状に塗布してなるコ字状に伸びる剥離部３ｃを設けている。そして、この剥離部３ｃに対応する部分に、透孔４を等間隔に多数設けている。また、この外面側の前記各折り部Ｐ，Ｑに挟まれた部分が宛名表示面となっている。
【００１１】
続いて、上述した折り畳み封書用シート１を用いて形成する封書について説明する。まず、図２に示すように、折り畳み封書用シート１の宛名表示面に適宜なプリンタで宛名印字をした後、図１に示すように、短辺１ａ及び一対の長辺１ｃ，１ｄの一部に沿って強接着部２を設けた面を内側にし、図３に示すように、第１折り部Ｐでこの折り部Ｐから短辺１ｂ側を折り重ね、剥離部３ａ，３ｂとこれに対応する強接着部２とを対接して、剥離可能に接着する。この折り重ねの前後に、シート１の内面側の第１折り部Ｐと第２折り部Ｑとの間に収容物、例えば書簡Ｌ（仮想線で図示）を載置する。
【００１２】
この図３図示状態から、第２折り部Ｑでこの折り部Ｑから短辺１ａ側を内面側、すなわち書簡Ｌ上に折り重ねて、各長辺１ｃ，１ｄに沿った強接着部２同士及び強接着部２と剥離部３ｃを対接する。これによって、強接着部２同士は剥離困難に接着する一方、剥離部３ｃに対接した強接着部２は、透孔４を介して強接着部２及び第１折り部Ｐに沿った部分に接着することで、不用意には剥離しないが、所定以上の力を与えると剥離可能に接着して、図４に示す封書６となる。
【００１３】
次に、上述の如く構成した封書６の開封手順について説明する。まず、図４図示状態において、短辺１ａ端から剥離部３ｃに対応する強接着部２を剥離するため、短辺１ａから短辺１ｂに至る部分を捲り上げる。これによって、図５に示すように、内側に位置している第１折り部Ｐから短辺１ｂ側の部分が露出する。次いで、この露出した短辺１ｂ端を摘んで捲り上げると、剥離部３ａ，３ｂの作用で剥離され、図６に示すように、封書６の一面のほぼ半分が開口した開封状態となり、収容していた書簡Ｌのほぼ半分が露出して、これを取り出すことができる。
【００１４】
続いて、図７〜図１０に基づき第２の実施形態を説明する。図７及び図８に示すように、折り畳み封書用シート１１は、長方形状で、その短辺１１ａ，１１ｂと平行に第１折り部Ｒと第２折り部Ｓを設けている。これら折り部Ｒ，Ｓも第１の実施形態におけると同様に、あらかじめ決定された折り予定部であって、ミシン目や指示線などで明示されていないので、仮想線で図示している。前記第１折り部Ｒと前記第２折り部Ｓとの間隔は、前記第２折り部Ｓからこの折り部Ｓ側の短辺１１ａまでの間隔とほぼ等しく設定する一方、前記第１折り部Ｒからこの折り部Ｒ側の短辺１１ｂまでの間隔は、前記各間隔のほぼ半分に設定している。
【００１５】
図７に示す、折り畳み封書用シート１１を折り畳む際の内面側には、第２折り部Ｓ側の短辺１１ａに沿って剥離可能な接着剤を帯状に塗布してなる弱接着部１５を設けるとともに、この弱接着部１５から第１折り部Ｒに至る一対の長辺１１ｃ，１１ｄに沿った部分のそれぞれに、剥離困難な接着剤を帯状に塗布してなる強接着部１２ａ，１２ｂを設けている。また、前記第１折り部Ｒから短辺１１ｂに至る一対の長辺１１ｃ，１１ｄにそれぞれ沿った部分に、剥離剤を帯状に塗布してなる剥離部１３ａ，１３ｂを設けている。
【００１６】
一方、図８に示す、折り畳み封書用シート１１を折り畳む際の外面側には、第１折り部Ｒから短辺１１ｂに至る一対の長辺１１ｃ，１１ｄにそれぞれ沿った部分に、剥離剤を帯状に塗布してなる剥離部１３ｃ，１３ｄを設けている。そして、これらの剥離部１３ｃ，１３ｄに対応する部分に、透孔１４を等間隔に多数設けている。また、この外面側の各折り部Ｒ，Ｓに挟まれた部分が宛名表示面となっている。
【００１７】
続いて、上述した折り畳み封書用シート１１を用いて形成する封書について説明する。まず、図８に示すように、折り畳み封書用シート１１の宛名表示面に適宜なプリンタで宛名印字をした後、図７に示すように、短辺１１ａに沿って弱接着部１５を設けた面を内側にし、図９に示すように、第１折り部Ｒでこの折り部Ｒから短辺１１ｂ側を内面側に折り重ね、剥離部１３ａ，１３ｂとこれに対応する強接着部１２ａ，１２ｂとを対接して、剥離可能に接着する。この折り重ねの前後に、シート１１の内面側の第１折り部Ｒと第２折り部Ｓとの間に収容物、例えば書簡Ｌ（仮想線で図示）を載置する。
【００１８】
この図９図示状態から、第２折り部Ｓでこの折り部Ｓから短辺１１ａ側を内面側、すなわち書簡Ｌ上に折り重ねて、各長辺１１ｃ，１１ｄに沿った強接着部１２ａ，１２ｂ同士、強接着部１２ａ，１２ｂと剥離部１３ｃ，１３ｄ、弱接着部１５と第１折り部Ｒに沿った部分をそれぞれ対接する。これによって、強接着部１２ａ，１２ｂ同士は剥離困難に接着し、剥離部１３ｃ，１３ｄに対接した強接着部１２ａ，１２ｂは、透孔１４を介して強接着部１２ａ，１２ｂに接着することで、不用意には剥離しないが、所定以上の力を与えると剥離可能に接着し、弱接着部１５は第１折り部Ｒに沿った部分に、同じく不用意には剥離しないが、所定以上の力を与えると剥離可能に接着して、図１０に示す封書１６となる。ここで、前記弱接着部１５の両端部は、剥離部１３ｃ，１３ｄに対応位置するので接着力がより弱められ、剥離開始端として好適である。
【００１９】
次に、上述の如く構成した封書１７の開封手順について説明する。まず、図１０図示状態において、短辺１１ａ端の一方の隅部を摘んで、剥離部１３ｃ，１３ｄに対応する部分から弱接着部１５を剥離するとともに、前記剥離部１３ｃ，１３ｄに対応する強接着部１２ａ，１２ｂを剥離するため、短辺１１ａから短辺１１ｂに至る部分を捲り上げる。これによって、第１実施形態と同様に、内側に位置している第１折り部Ｒから短辺１１ｂ側の部分が露出する（図５参照）。次いで、この露出した短辺１１ｂ端を摘んで捲り上げると、剥離部１３ａ，１３ｂの作用で剥離され、封書１６の一面のほぼ半分が開口した開封状態となり、収容していた書簡Ｌのほぼ半分が露出して、これを取り出すことができる（図６参照）。
【００２０】
なお、本発明は上述した各実施形態に限定されるものではなく、例えば、透孔４，１４の数や大きさ、あるいは間隔を変えることによって、接着力の調整が可能である。さらに、剥離開始端となる短辺１ａ，１１ａに剥離開始動作を容易に行うための切り欠き部を設けたり、第２折り部Ｑ，Ｓとこの折り部Ｑ，Ｓ側の短辺１ａ，１１ａとの間の領域の所定位置に、切りミシン目を破断して形成する係止爪を設けてもよい。この係止爪を設けると、封書６，１６を開封後に、内側に位置していた第１折り部Ｐ，Ｒから短辺１ｂ，１１ｂに及ぶ開封部分を、折り重ね状態を逆にして外側に重ねることにより、その短辺１ｂ，１１ｂ端を係止爪で係止して、封鎖状態を維持することができる。
【００２１】
【発明の効果】
以上説明したところで明らかなように、本願の請求項１または請求項２の折り畳み封書用シートによれば、各折り部で三つ折りすることにより、封書を容易に形成でき、また、開封した際に、封書の一面のほぼ半分が開口した開封状態となり、収容していた書簡のほぼ半分が露出するので、これを容易に取り出すことが可能な封書を形成できるという効果を奏する。
【００２２】
また、本願請求項３の封書によれば、開封時に切り屑のような廃棄物が生じず、開封も容易であり、また、開封した際に、封書の一面のほぼ半分が開口した開封状態となり、収容していた書簡のほぼ半分が露出するので、これを容易に取り出すことができるという効果を奏する。
【図面の簡単な説明】
【図１】  第１実施形態における折り畳み封書用シートの内面側を示す概略的な平面図。
【図２】  同じく折り畳み封書用シートの外面側を示す概略的な平面図。
【図３】  同じく第１折り部で折り重ねた状態を示す概略的な平面図。
【図４】  同じく封書とした状態の概略的な平面図。
【図５】  同じく開封の第１段階を示す斜視図。
【図６】  同じく開封の第２段階を示す斜視図である。
【図７】  第２実施形態における折り畳み封書用シートの内面側を示す概略的な平面図。
【図８】  同じく折り畳み封書用シートの外面側を示す概略的な平面図。
【図９】  同じく第１折り部で折り重ねた状態を示す概略的な平面図。
【図１０】  同じく封書とした状態の概略的な平面図。
【符号の説明】
１，１１      折り畳み封書用シート
１ａ，１ｂ，１１ａ，１１ｂ      短辺
１ｃ，１ｄ，１１ｃ，１１ｄ      長辺
２，１２ａ，１２ｂ      強接着部
３ａ，３ｂ，３ｃ，１３ａ，１３ｂ，１３ｃ，１３ｄ      剥離部
４，１４      透孔
６，１６      封書
１５      弱接着部
Ｐ，Ｒ      第１折り部
Ｑ，Ｓ      第２折り部
【図１】
0004187980.tif 000002
【図２】
0004187980.tif 000003
【図３】
0004187980.tif 000004
【図４】
0004187980.tif 000005
【図５】
0004187980.tif 000006
【図６】
0004187980.tif 000007
【図７】
0004187980.tif 000008
【図８】
0004187980.tif 000009
【図９】
0004187980.tif 000010
【図１０】
0004187980.tif 000011